(57)【特許請求の範囲】
【請求項１】
複数の番組が放送されるデジタル放送の受信機であって、デジタル放送信号には、複数チャンネルで放送される予定の複数の番組についての番組情報と、各チャンネルで現在放送中の番組のチャンネル番号、番組コード及びコピー許可情報を含む付加情報とが多重されているデジタル放送受信機において、
受信されたデジタル放送信号から番組情報及び付加情報を分離する手段と、
分離された番組情報に基づき、放送予定の番組の中から所望の番組を選択して、録画予約を行なうための録画予約手段と、
録画予約に応じて録画を開始せんとするとき、或いはその直後に分離された付加情報が、コピーを禁止すべきコピー許可情報を含んでいるとき、以後の録画動作をキャンセルする録画制御手段と、
分離された番組情報の中から、録画予約された番組の番組情報を取得する手段と、
取得された番組情報が、コピーを禁止すべきコピー許可情報を含んでいるとき、録画予約をキャンセルする手段とを具えていることを特徴とするデジタル放送受信機。
【発明の詳細な説明】
【０００１】
【発明の属する技術分野】
本発明は、衛星波或いは地上波によるデジタル放送の受信機に関し、特に録画予約機能を有するデジタル放送受信機に関するものである。
【０００２】
【従来の技術】
近年、新しいテレビジョン放送方式として、通信衛星を用いたデジタル放送の開発が進んでおり、その標準方式が既に決定されている。
デジタル放送の標準方式においては、送信側にて、ビデオデータとオーディオデータを動画圧縮の国際標準であるＭＰＥＧ２により圧縮し、番組情報や付加情報等、各種の情報と共に多重化して、１８８バイトのパケット形式に変換し、更に秘匿性を確保するためのスクランブル処理等、必要な処理を施した後、各家庭へ向けて送信する。
各家庭の受信機側では、受信した信号に対し、送信時とは逆の処理を施して、所望の番組の映像及び音響を再生する。
【０００３】
尚、デジタル放送信号に多重される番組情報は、複数チャンネルで放送される予定の複数の番組を対象とする番組表の作成に必要な情報であり、番組表を画面に表示することによって、所望の番組を容易に選択することが出来る。又、付加情報は、各チャンネルで現在放送中の番組のチャンネル番号及び番組コードを含んでおり、該付加情報に基づいて、特定の番組のビデオデータ及びオーディオデータを獲得することが出来る。
【０００４】
図８は、従来の衛星デジタル放送受信機（２０）の構成を表わしており、アンテナ（１）にて受信されたデジタル放送信号が衛星デジタル放送受信機（２０）へ供給される。衛星デジタル放送受信機（２０）では、先ずチューナ（４）によって受信周波数が衛星放送の電波にチューニングされ、これによって得られた信号はスクランブル解除・多重分離回路（５）へ供給されて、スクランブルが解除され、更に、多重されているビデオデータ、オーディオデータ、及び各種の情報が分離される。
その後、分離されたビデオデータ及びオーディオデータは映像・音響復号回路（６）へ供給され、データ伸張、Ｄ／Ａ変換等が施されて、アナログの映像信号及び音響信号に変換された後、ＶＴＲ（３）を経て、モニター（１２）へ出力される。
【０００５】
又、衛星デジタル放送受信機（２０）には、マイクロコンピュータから構成される制御回路（７）が装備され、チューナ（４）、スクランブル解除・多重分離回路（５）及び映像・音響復号回路（６）の動作を制御している。制御回路（７）には、スクランブル解除・多重分離回路（５）によって分離された番組情報を格納すべき番組情報格納メモリ（８）や、視聴者が各種の指令を入力するするための操作キー（９）が接続されている。
【０００６】
上記衛星デジタル放送受信機によれば、操作キー（９）を操作して、番組情報格納メモリ（８）に格納されている番組情報を、図７に示す如き番組表としてモニター（１２）に表示させることが可能であり、この中から所望の番組を選択すれば、該番組の視聴や録画が可能となる。
【０００７】
又、所望の番組の録画を予約することも可能であり、この場合、衛星デジタル放送受信機（２０）は、録画予約せんとする番組の放送チャンネルに切り換えて、該チャンネルのデジタル放送信号をＶＴＲ（３）の外部ビデオ入力端子へ供給すると共に、ＶＴＲ（３）には、その番組の放送時間帯を指定して、予約録画モードを設定しておく。
この結果、その番組の放送開始時刻になると、ＶＴＲ（３）によって自動的に録画が開始され、放送終了時刻になると、自動的に録画が停止されることになる。
【０００８】
【発明が解決しようとする課題】
しかしながら、従来の衛星デジタル放送受信機による予約録画においては、緊急番組の割り込み等によって、録画予約している番組の放送時間が変更された場合や、放送が中止になった場合、予約の変更、中止の操作をしない限り、最初の設定通りに録画動作が開始されるので、所望の番組を最後まで録画出来ず、又、必要のない番組を録画することとなる。
特に、衛星デジタル放送においては、視聴が有料の番組が含まれているので、上記の如き録画の失敗によって、無駄な視聴料の支払いを余儀なくされる問題がある。
【０００９】
又、衛星デジタル放送には、視聴は可能であるが、録画（コピー）が禁止されている番組が含まれており、この様なコピーガードが施されている番組について録画予約を設定した場合、磁気テープには、その番組の映像及び音声が正常に記録されず、然もその番組の視聴が有料の場合、上記同様に、無駄な視聴料の支払いを余儀なくされる問題がある。
【００１０】
本発明の目的は、放送時間帯の変更に拘わらず、所望の番組を正確に予約録画することが出来るデジタル放送受信機を提供することである。又、本発明の他の目的は、コピーガードが施されている番組についての予約録画をキャンセルし得るデジタル放送受信機を提供することである。
【００１１】
【課題を解決する為の手段】
本発明に係るデジタル放送受信機は、複数の番組が放送されるデジタル放送の受信機であって、デジタル放送信号には、複数チャンネルで放送される予定の複数の番組についての番組情報と、各チャンネルで現在放送中の番組のチャンネル番号、番組コード及びコピー許可情報を含む付加情報とが多重されているデジタル放送受信機において、受信されたデジタル放送信号から番組情報及び付加情報を分離する手段と、分離された番組情報に基づき、放送予定の番組の中から所望の番組を選択して、録画予約を行なうための録画予約手段と、録画予約に応じて録画を開始せんとするとき、或いはその直後に分離された付加情報が、コピーを禁止すべきコピー許可情報を含んでいるとき、以後の録画動作をキャンセルする録画制御手段と、分離された番組情報の中から、録画予約された番組の番組情報を取得する手段と、取得された番組情報が、コピーを禁止すべきコピー許可情報を含んでいるとき、録画予約をキャンセルする手段とを具えている。
【００１５】
上記デジタル放送受信機を用いた予約録画において、視聴者は、先ず録画予約手段によって所望の番組の録画予約を行なう。この際、デジタル放送信号から分離された番組情報に基づいて、所望の番組の録画予約に必要なデータ(放送開始時刻等)が指定される。
その後、録画制御手段は、録画予約された番組の放送開始時刻になると、或いはその番組の番組コードが受信されると、ＶＴＲ等の録画装置へ録画開始指令を発する。この際、付加情報に含まれる番組コードによって、録画せんとする番組が特定されると共に、コピー許可情報によって、該番組についてコピーガードが施されているか否かが判断される。そして、コピーを禁止すべきコピー許可情報が含まれているときは、録画装置による以後の録画動作はキャンセルされる。
これに対し、コピーガードの施されていない番組については、その放送信号が録画装置へ供給され、録画が実行される。
更に、視聴者が録画予約手段によって所望の番組の録画予約を行なう際、分離された番組情報が、録画予約せんとする番組のコピーを禁止すべきコピー許可情報を含んでいるとき、例えば、その旨が画面に表示され、該録画予約は自動的に、或いは視聴者の操作によってキャンセルされる。
これに対し、録画予約せんとする番組のコピーを禁止すべきコピー許可情報が含まれていないときは、録画予約は有効となる。
【００１８】
【発明の効果】
本発明に係るデジタル放送受信機によれば、放送時間帯の変更に拘わらず、所望の番組を実際の開始時刻から終了時刻まで正確に録画することが出来る。又、コピーガードが施されている番組についての予約録画はキャンセルされるので、無駄な視聴料の請求が発生することはない。
【００１９】
【発明の実施の形態】
以下、本発明を衛星デジタル放送受信機に実施した形態につき、図面に沿って具体的に説明する。
【００２０】
先ず、本実施例の前提となる衛星デジタル放送の標準方式について、図９〜図１２に基づいて説明する。
衛星デジタル放送においては、図９に示す如く、ビデオデータ及びオーディオデータの他、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）と称される各種情報が夫々、１８８バイトのＴＳパケット（Ｔｒａｎｓｐｏｒｔ  Ｓｔｒｅａｍ  Ｐａｃｋｅｔ）と称されるブロックに分割され、これらのＴＳパケットを混在させて一連の多重放送データが作成される。各ＴＳパケットには夫々ＰＩＤ（Ｐａｃｋｅｔ  ＩＤ）と称される識別番号が付与されており、同じ種類のデータに対しては、同じＰＩＤが付与される。
【００２１】
ＰＡＴ、ＰＭＴ及びＥＩＴは夫々、図１０、図１１及び図１２に示す構造を有している。
図１１に示すＰＭＴは、現在放送中の各チャンネルの情報を記録したテーブルであって、チャンネルの数だけ送られてくる。この中には、現在放送中の番組の番組コードと共に、該番組のビデオデータ及びオーディオデータのＰＩＤが含まれている。
【００２２】
一方、図１０に示すＰＡＴは、現在放送中の各チャンネルについてのＰＩＤを記録したテーブルであって、衛星デジタル放送受信機は、先ずＰＡＴを受信して、選択されたチャンネルに対応するＰＭＴを探し出し、該ＰＭＴに含まれる各種の情報を獲得する。
例えば、図１０に示すチャンネルｎが選択された場合、図１１の如くＰＩＤがｐｎ番であるＰＭＴを探し出し、該チャンネルｎによって放送される番組についての暗号化情報、コピー許可情報、番組コード、ビデオデータのＰＩＤ番号、オーディオデータのＰＩＤ番号等を獲得するのである。
【００２３】
図１２に示すＥＩＴは、複数チャンネルで放送される予定の複数の番組を対象として、各番組の番組番号、放送開始時刻、番組名、番組説明情報、番組コード等の番組情報を記録したテーブルであって、チャンネルの数だけテーブルが送られてくる。そして、これらの情報に基づいて、番組表がモニター画面に表示され、該表示画面に基づいて、視聴番組の選択や録画予約を行なうことが出来る。
例えば、図１２に示す番組コード＝ｃ１の番組が録画予約されると、図１１のＰＭＴを監視して、番組コードがｃ１のＰＭＴを取得すると、その時点で、ＶＴＲに対して録画開始を指令する。そして、該ＰＭＴに含まれるビデオデータ及びオーディオデータのＰＩＤ番号に基づいて、録画せんとする番組のビデオデータ及びオーディオデータを抽出して、これらのデータをＶＴＲへ供給し、録画を行なうのである。
【００２４】
次に、図１〜図７に基づいて、本発明の実施例について説明する。
図１は、本発明に係る衛星デジタル放送受信機（２）の構成を表わしており、図８に示す従来の衛星デジタル放送受信機に対し、後述の予約情報を格納するための予約情報格納メモリ（１０）と、録画制御信号Ｃを作成してＶＴＲ（３）へ出力する録画制御信号作成回路（１１）とが追加装備されている。
【００２５】
録画制御信号作成回路（１１）は、図２〜図４に示す第１予約録画制御モードと、図５に示す第２予約録画制御モードの設定が可能である。第１予約録画制御モードは、予約録画せんとする番組の放送時間が変更された場合にも、所望の番組を正確に録画するための制御モードである。一方、第２予約録画制御モードは、コピーガードが施されている番組については予約録画をキャンセルするための制御モードである。
【００２６】
第１予約録画制御モードの動作
先ず図２のステップＳ１にて、受信したＥＩＴに含まれる複数の番組についての番組情報を番組情報格納メモリ（８）に格納する。ここで、番組情報は、図６に示す如きテーブルとして番組情報格納メモリ（８）に格納される。又、これと同時に、番組情報格納メモリ（８）内のデータに基づいて、図７に示す如き予約操作画面がモニター（１２）に表示される。
【００２７】
次にステップＳ２では、視聴者によって録画予約の指示が為されたかどうかを判断する。ここで、視聴者が、図７に示す画面に表示されている「予約」釦をキー操作によって選択すると、ステップＳ２ではＹＥＳと判断される。そして、ステップＳ３にて後述の予約モードに移行し、録画予約手続きを実行する。この結果、前記の予約情報格納メモリ（１０）には、予約録画のためのデータ、即ち、予約録画せんとする番組のチャンネル番号Ａ及び番組コードＢが格納されることになる。一方、ステップＳ２にてＮＯと判断されたときは、ステップＳ４にて予約情報格納メモリ（１０）に既にデータが格納されているかどうかを判断する。ここで、ＮＯと判断されたときは、ステップＳ１に戻って同様の手続きを繰り返す。一方、ＹＥＳと判断されたときは、録画予約が設定されているので、ステップＳ５に移行して、予約録画のための処理を実行する。
【００２８】
即ち、ステップＳ５では、受信したＰＭＴに含まれる付加情報から、チャンネルＡの番組コードＢを取得した後、ステップＳ６にて後述の録画制御モードを設定し、所定の録画制御手続きを実行する。これによって、録画予約した番組の録画が行なわれることになる。
最後に、ステップＳ７にて電源がオフ操作されたかどうかを判断し、ＮＯのときはステップＳ１に戻って同様の手続きを繰り返す。ＹＥＳのときは、一連の手続きを終了する。
【００２９】
上記ステップＳ３の予約モードにおいては、視聴者が画面上のカーソルを移動させると、先ず、図３のステップＳ２１にて、カーソル位置の番組についてのデータ表示領域を反転表示させ（図７参照）、更にステップＳ２２にて、予約操作が確定されたかどうかを判断する。ここで、視聴者が図７に示す「ＯＫ」釦をキー操作によって選択すると、図３のステップＳ２２にてＹＥＳと判断され、ステップＳ２３へ移行する。
ステップＳ２３では、前記反転領域に対応する番組の情報（チャンネル番号及び番組コード）を番組情報格納メモリ（８）から読み出し、更にステップＳ２４では、読み出したチャンネル番号Ａ及び番組コードＢを予約情報格納メモリ（１０）に格納する。
【００３０】
図２に示すステップＳ６の録画制御モードにおいては、先ず図４のステップＳ２５にて、前記付加情報から取得した番組コードＢｉと予約情報格納メモリ（１０）に格納されている番組コードＢとが一致しているかどうかを判断する。ここで、ＹＥＳと判断されたときは、ステップＳ２６に移行して、該番組コードと一緒に送られてくるビデオデータ及びオーディオデータのＰＩＤ番号（図１１参照）に基づいて、該番組の受信を開始し、更にステップＳ２７にて、ＶＴＲ（３）へ録画開始信号を出力する。
【００３１】
一方、ステップＳ２５にてＮＯと判断されたときは、ステップＳ２８に移行して、ＶＴＲ（３）が現在、録画動作中であるかどうかを判断する。ここで、ＹＥＳと判断されたとき、この時点は予約録画の対象となっていた番組の放送の終了直後であるので、ステップＳ２９へ移行し、該番組の受信を終了した後、ステップＳ３０にて、ＶＴＲ（３）へ録画終了信号を出力する。これによって、予約録画の対象となっていた番組が開始時刻から終了時刻まで録画されることになる。
その後、ステップＳ３１にて、予約録画の終了した番組について、そのチャンネル番号Ａ及び番組コードＢを予約情報格納メモリ（１０）から削除した後、図２のステップＳ７の判断へ戻る。
一方、図４のステップＳ２８にてＮＯと判断されたときは、予約録画の対象となっている番組は未だ放送されておらず、録画動作も開始されていないので、そのまま図２のステップＳ７の判断へ戻る。
【００３２】
上記一連の手続きによれば、番組コードの受信に基づいて予約録画が開始されるので、録画せんとする番組の放送時間が変更された場合にも、その番組を実際の開始時刻から終了時刻まで正確に録画することが出来る。従って、予約録画に失敗はなく、無駄な視聴料の支払いも防止される。
【００３３】
第２予約録画制御モードの動作
該制御モードにおいても、受信したＥＩＴに含まれる複数の番組についての番組情報を番組情報格納メモリ（８）に格納すると共に、図７に示す如き予約操作画面をモニター（１２）に表示した状態で、視聴者による録画予約操作に待機する。そして、所望の番組が選択されると、図５のステップＳ１１にて、選択された番組の番組情報を取得する。
尚、番組情報には、前述の如く各番組のチャンネル番号や番組コードが含まれている他、コピーガードの有無を表わすコピー許可情報が、ＰＭＴ内に番組単位で記述されている。
【００３４】
番組情報の取得後、ステップＳ１２では、番組情報に含まれているコピー許可情報に基づいて、録画予約された番組に対してコピーガードが施されているかどうかが判断される。ＹＥＳと判断されたときは、ステップＳ１３に移行して、モニター（１２）に録画が不能である旨の警告を表示する。ここで、視聴者は、録画は行なわず、視聴のみを行なう動作（タイマー視聴）を選択することが出来る。
次に、ステップＳ１４にて、タイマー視聴のみが予約されているかどうかを判断し、ＹＥＳのときは、予約されている番組の放送が開始された時点で、視聴動作を開始し、又は視聴動作をキャンセルする。そして、視聴動作を開始した場合は、ステップＳ１６にて番組の終了が判断されるまで、番組の視聴動作を継続した後、視聴動作を終了する。
【００３５】
一方、ステップＳ１４にてＮＯ、即ちタイマー視聴のみの予約が行なわれていないと判断されたときは、ステップＳ１８に移行して、その番組についての視聴予約をキャンセルした後、手続きを終了する。
又、ステップＳ１２にてＮＯ、即ちコピーガードが施されていないと判断されたときは、ステップＳ１９に移行して、ＶＴＲに対し、チャンネル番号、放送開始時刻及び終了時刻を設定する。
【００３６】
その後、ステップＳ２０では、その時点で受信されるＥＩＴに含まれる情報に基づいて、番組の放送時間に変更がないかどうかを判断し、変更があったときは、ステップＳ２４にてＶＴＲに放送時間（開始時刻及び終了時刻）の再設定を行なった後、ステップＳ２１へ移行する。
ステップＳ２１では、その時点で受信されるＰＭＴに含まれる番組コードを監視し、録画予約されている番組の番組コードが検知されたとき、該番組の放送が開始されたものと判断して、ステップＳ２２へ移行する。
【００３７】
ステップＳ２２では、その時点で受信されるＰＭＴに含まれるコピー許可情報に基づいて、該番組にコピーガードが施されているかどうかを判断して、ＹＥＳのときは、ステップＳ２５にて録画動作をキャンセルする。一方、ＮＯと判断されたときは、ステップＳ２３にてＶＴＲへ録画開始指令を発して、録画動作を開始した後、ステップＳ１６の判断へ移行する。
この結果、コピーガードが施されている番組については、その番組の放送開始直後、受信が無料のプレビュー期間内に、録画動作がキャンセルされるので、無駄な視聴料の支払いが防止される。
【００３８】
又、図５の手続きによれば、録画予約の段階でＥＩＴにコピーを禁止すべきコピー許可情報が含まれていない場合であっても、その番組の放送開始時点で得られるＰＭＴに基づいてコピーガードの有無が検出されるので、録画動作のキャンセルは確実に行なわれる。従って、無駄な視聴料の請求が発生することはない。
【００３９】
上記実施の形態の説明は、本発明を説明するためのものであって、特許請求の範囲に記載の発明を限定し、或は範囲を減縮する様に解すべきではない。又、本発明の各部構成は上記実施の形態に限らず、特許請求の範囲に記載の技術的範囲内で種々の変形が可能であることは勿論である。
【図面の簡単な説明】
【図１】本発明に係る衛星デジタル放送受信機の構成を示すブロック図である。
【図２】第１予約録画制御モードの動作を表わすフローチャートである。
【図３】該制御モードにおける予約モードの動作を表わすフローチャートである。
【図４】該制御モードにおける録画制御の動作を表わすフローチャートである。
【図５】第２予約録画制御モードの動作を表わすフローチャートである。
【図６】番組情報のデータ内容を表わす図表である。
【図７】モニターに表示される録画予約操作画面を表わす図である。
【図８】従来の衛星デジタル放送受信機の構成を示すブロック図である。
【図９】衛星デジタル放送信号のパケット構造を表わす図である。
【図１０】ＰＡＴのデータ構造を表わす図である。
【図１１】ＰＭＴのデータ構造を表わす図である。
【図１２】ＥＩＴのデータ構造を表わす図である。
【符号の説明】
（２）  衛星デジタル放送受信機
（５）  スクランブル解除・多重分離回路
（７）  制御回路
（８）  番組情報格納メモリ
（１０）  予約情報格納メモリ
（１１）  録画制御信号作成回路
（３）  ＶＴＲ
（１２）  モニター
【図１】
0003619608.tif 000002
【図２】
0003619608.tif 000003
【図３】
0003619608.tif 000004
【図４】
0003619608.tif 000005
【図５】
0003619608.tif 000006
【図６】
0003619608.tif 000007
【図７】
0003619608.tif 000008
【図８】
0003619608.tif 000009
【図９】
0003619608.tif 000010
【図１０】
0003619608.tif 000011
【図１１】
0003619608.tif 000012
【図１２】
0003619608.tif 000013